(57)【要約】【課題】一時保留部の機能を拡張し、紙葉類処理装置の使い勝手の向上を図る。【解決手段】紙葉類処理装置は、投入された紙葉類を１枚ずつ繰り出す繰出部１１、紙葉類を搬送する上部搬送路１０、上部搬送路１０中にあって紙葉類の属性を識別する識別部１３、紙葉類の収納と繰り出しを行う一時保留部１５、紙葉類を特定の属性別に収納し繰り出しを行う属性別収納部２２ａ〜２３ｄ、搬送されてきた紙葉類を集積する払出部１２、一時保留部１５に収納された紙葉類の収納状態を記憶する記憶部４１、取引の内容を入力する取引入力手段である操作部３３等、及び取引入力手段から入力された最新の取引の命令により、繰出部１１から紙葉類を繰り出し、その紙葉類をこの最新の取引以前に一時保留部１５に収納されている紙葉類と収納状態を区別して一時保留部１５に収納する制御を行う制御部である上部ユニット制御部３０と下部ユニット制御部４０を備える。【選択図】図１０
2010117916.tif 000002
【特許請求の範囲】
【請求項１】
紙葉類処理装置であって、
投入された紙葉類を１枚ずつ繰り出す繰出部と、
紙葉類を搬送する搬送路と、
紙葉類の収納と繰り出しを行う一時保留部と、
前記一時保留部に収納された紙葉類の収納状態を記憶する記憶部と、
取引の内容を入力する取引入力手段と、
前記取引入力手段から入力された最新の取引の命令により、前記繰出部から紙葉類を繰り出し、前記紙葉類をこの最新の取引以前に前記一時保留部に収納された紙葉類と収納状態を区別して前記一時保留部に収納する制御を行う制御部と、
を備えることを特徴とする紙葉類処理装置。
【請求項２】
搬送されてきた紙葉類を集積する払出部をさらに備え、
前記制御部は、前記取引入力手段から入力された返却の命令により、前記最新の取引に関する収納状態を持つ紙葉類を、前記一時保留部から前記払出部へ搬送する制御を行うことを特徴とする請求項１に記載の紙葉類処理装置。
【請求項３】
紙葉類処理装置であって、
投入された紙葉類を１枚ずつ繰り出す繰出部と、
紙葉類を搬送する搬送路と、
紙葉類の収納と繰り出しを行う一時保留部と、
取引の内容を入力する取引入力手段と、
前記取引入力手段から入力された最新の取引の命令により、前記繰出部から紙葉類を繰り出し、前記一時保留部にこの紙葉類を収納する制御を行う制御部と、
この最新の取引で前記一時保留部に収納された紙葉類とこの最新の取引以前に前記一時収納部に収納された紙葉類とを区別する境界の位置を記憶する記憶部と、
を備えることを特徴とする紙葉類処理装置。
【請求項４】
搬送されてきた紙葉類を集積する払出部をさらに備え、
前記制御部は、前記取引入力手段から入力された返却の命令により、前記境界の位置を基準として、前記最新の取引に関する紙葉類を、前記一時保留部から前記払出部へ搬送する制御を行うことを特徴とする請求項３に記載の紙葉類処理装置。
【請求項５】
前記制御部は、前記取引入力手段から入力された取引の命令により、前記最新の取引で前記一時保留部に収納された紙葉類を、前記一時保留部内に保持した状態で、前記紙葉類と次回の取引に関する紙葉類を区別して前記一時保留部に収納する制御を行うことを特徴とする請求項１から４のいずれか１項に記載の紙葉類処理装置。
【請求項６】
前記一時保留部は、回転ドラムに巻かれるテープにより当該回転ドラムの周囲に紙葉類を巻き付けて保持する収納部であることを特徴とする請求項１から５のいずれか１項に記載の紙葉類処理装置。
【請求項７】
前記搬送路中にあって前記紙葉類の属性を識別する識別部と、
紙葉類を属性に基づいて収納し繰り出しを行う属性別収納部と、
をさらに備え、
前記制御部は、所定の設定条件に基づいて前記一時保留部から前記属性別収納部へ紙葉類を送出する制御を行うことを特徴とする請求項１から６のいずれか１項に記載の紙葉類処理装置。
【請求項８】
請求項１から７のいずれか１項に記載の紙葉類処理装置を備えた紙幣入出金装置。
【発明の詳細な説明】
【技術分野】
【０００１】
本発明は紙葉類処理装置及びそれを備えた紙幣入出金装置に関する。
【背景技術】
【０００２】
紙葉類処理装置では、受け入れた紙葉類を一時的に保留しておき、所定条件成立後、それを所定の収納部に正式に収納するという動作の流れにするのが一般的である。所定条件成立とは、紙葉類処理装置が紙幣入出金装置に備えられていれば、入金取引の成立、あるいは紙幣の補充完了などといったことになる。
【０００３】
上記のような動作フローを可能にするため、従来の紙葉類処理装置は専用の一時集積部や一時保管庫を必要としていた。そのような紙葉類処理装置の例を特許文献１、２に見ることができる。
【０００４】
特許文献１に記載されているのは貨幣処理機である。この貨幣処理機では収納庫の上に一時集積庫が設けられている。一時集積庫で紙幣の集積が満杯であることが集積満杯センサで検知されると、一時集積庫の底部のシャッターが開き、紙幣は収納庫に落下する。
【０００５】
特許文献２に記載されているのは紙幣取扱装置である。この紙幣取扱装置は、紙幣を順次誘導テープにより回転ドラムに巻き付け保管する一時保管庫を備える。入金取引成立後、回転ドラムを逆回転させて巻き付け時と逆の順で紙幣を一時保管庫より紙幣搬送路に放出し、紙幣の判別情報や位置情報に基づき、紙幣を１枚毎に、入金庫、リサイクル庫、リジェクト庫のいずれかを選択して収納する。
【０００６】
特許文献３には、特許文献２の一時保管庫と同様、回転ドラムに巻かれるテープにより当該回転ドラムの周囲に紙葉類を巻き付けて保持するタイプの収納部を備えた紙幣入出金機が記載されている。この紙幣入出金機では、最高額紙幣収納部に一時保留紙幣として保留された紙幣を、図１４の分類収納手法で収納する。
【０００７】
図１４には、最高額紙幣収納部における紙幣の分類収納パターンが３パターン示されている。図中「Ａ」は最高額紙幣を表し、「Ｂ」「Ｃ」「Ｄ」はそれ以外の金種の紙幣を表す。
【０００８】
パターン１では、その左半分において、収納されていた最高額紙幣「Ａ」の続きにそれ以外の金種の紙幣「Ｄ」「Ｃ」「Ｂ」が一時保留紙幣として取り込まれた状況が示されている。この場合、入金取引が成立すると、紙幣「Ｂ」「Ｃ」「Ｄ」の順で繰り出され、それぞれの金種別収納部に送られる。収納紙幣として残るのは元々収納紙幣であった最高額紙幣「Ａ」だけということになる。
【０００９】
パターン２では、その左半分において、収納されていた最高額紙幣「Ａ」の続きに最高額紙幣「Ａ」が２枚、それ以外の金種の紙幣「Ｂ」が１枚、一時保留紙幣として取り込まれた状況が示されている。この場合、入金取引が成立すると、手前側の紙幣「Ｂ」は繰り出され、「Ｂ」用の金種別収納部に送られる。一時保留紙幣の中でも奥の方に位置していた２枚の最高額紙幣「Ａ」は残留し、収納紙幣の仲間入りをする。
【００１０】
パターン３では、その左半分において、収納されていた最高額紙幣「Ａ」の続きに最高額紙幣「Ａ」が３枚、一時保留紙幣として取り込まれた状況が示されている。この場合、入金取引が成立しても繰り出しは行われず、一時保留紙幣「Ａ」は３枚とも残留して収納紙幣の仲間入りをする。
【特許文献１】特開平１１−１０２４５７号公報
【特許文献２】特開２００６−３０９７８５号公報
【特許文献３】特許第３４３７４３２号公報
【発明の開示】
【発明が解決しようとする課題】
【００１１】
従来の紙葉類処理装置では、一時保留部に広汎な機能は与えられていなかった。中でも特許文献３記載のものは、紙葉類を繰り出してそれぞれの金種に応じた収納部に収納してからでないと次の取引（入金取引）を開始できない。
【００１２】
本発明は上記の問題に鑑みなされたものであり、一時保留部の機能を拡張し、紙葉類処理装置の使い勝手の向上を図ったものである。
【課題を解決するための手段】
【００１３】
上記目的を達成するために本発明は、紙葉類処理装置であって、投入された紙葉類を１枚ずつ繰り出す繰出部と、紙葉類を搬送する搬送路と、紙葉類の収納と繰り出しを行う一時保留部と、前記一時保留部に収納された紙葉類の収納状態を記憶する記憶部と、取引の内容を入力する取引入力手段と、前記取引入力手段から入力された最新の取引の命令により、前記繰出部から紙葉類を繰り出し、前記紙葉類をこの最新の取引以前に前記一時保留部に収納された紙葉類と収納状態を区別して前記一時保留部に収納する制御を行う制御部と、を備えることを特徴としている。
【００１４】
この構成によると、最新の取引に係る紙葉類を、その最新の取引以前に一時保留部に収納された紙葉類と収納状態を区別して一時保留部に収納するから、先の取引に関する紙葉類を一時保留部から繰り出さずに最新の取引に関する紙葉類を一時保留することができる。このため、取引間隔を短くできる。また、一時保留部を予備収納部として用い、予備の紙葉類を保持しておくこともできる。
【００１５】
また本発明は、上記構成の紙葉類処理装置において、搬送されてきた紙葉類を集積する払出部をさらに備え、前記制御部は、前記取引入力手段から入力された返却の命令により、前記最新の取引に関する収納状態を持つ紙葉類を、前記一時保留部から前記払出部へ搬送する制御を行うことを特徴としている。
【００１６】
この構成によると、一時保留部に保持されていた最新の取引に関する収納状態を持つ紙葉類を、そのまま返却できる。
【００１７】
また本発明は、紙葉類処理装置であって、投入された紙葉類を１枚ずつ繰り出す繰出部と、紙葉類を搬送する搬送路と、紙葉類の収納と繰り出しを行う一時保留部と、取引の内容を入力する取引入力手段と、前記取引入力手段から入力された最新の取引の命令により、前記繰出部から紙葉類を繰り出し、前記一時保留部にこの紙葉類を収納する制御を行う制御部と、この最新の取引で前記一時保留部に収納された紙葉類とこの最新の取引以前に前記一時収納部に収納された紙葉類とを区別する境界の位置を記憶する記憶部と、を備えることを特徴としている。
【００１８】
この構成によると、最新の取引で収納された紙葉類と、この最新の取引以前に一時収納部に収納された紙葉類とを区別する境界の位置が記憶されているから、先の取引に関する紙葉類を一時保留部から繰り出さずに最新の取引に関する紙葉類を一時保留することができる。このため、取引間隔を短くできる。また、一時保留部を予備収納部として用い、予備の紙葉類を保持しておくこともできる。
【００１９】
また本発明は、上記構成の紙葉類処理装置において、搬送されてきた紙葉類を集積する払出部をさらに備え、前記制御部は、前記取引入力手段から入力された返却の命令により、前記境界の位置を基準として、前記最新の取引に関する紙葉類を、前記一時保留部から前記払出部へ搬送する制御を行うことを特徴としている。
【００２０】
この構成によると、一時保留部に保持されていた最新の取引に関する収納状態を持つ紙葉類を、そのまま返却できる。
【００２１】
また本発明は、上記構成の紙葉類処理装置において、前記制御部は、前記取引入力手段から入力された取引の命令により、前記最新の取引で前記一時保留部に収納された紙葉類を、前記一時保留部内に保持した状態で、前記紙葉類と次回の取引に関する紙葉類を区別して前記一時保留部に収納する制御を行うことを特徴としている。
【００２２】
この構成によると、一時保留部に収納された紙葉類を、取引毎に区別して処理することができる。
【００２３】
また本発明は、上記構成の紙葉類処理装置において、前記一時保留部は、回転ドラムに巻かれるテープにより当該回転ドラムの周囲に紙葉類を巻き付けて保持する収納部であることを特徴としている。
【００２４】
この構成によると、紙葉類を搬送されてきた順序通りに保持することができる。
【００２５】
また本発明は、上記構成の紙葉類処理装置において、前記搬送路中にあって前記紙葉類の属性を識別する識別部と、紙葉類を属性に基づいて収納し繰り出しを行う属性別収納部と、をさらに備え、前記制御部は、所定の設定条件に基づいて前記一時保留部から前記属性別収納部へ紙葉類を送出する制御を行うことを特徴としている。
【００２６】
この構成によると、所定の設定条件が満たされた時点で一時保留部から属性別収納部に紙葉類を移し、一時保留部にある程度の一時保留スペースを確保することが可能となる。なお、属性の識別は一時保留部へ紙葉類を収納する前であっても後であってもよい。
【００２７】
また本発明は、上記構成の紙葉類処理装置を備えた紙幣入出金装置であることを特徴としている。
【００２８】
この構成によると、連続して入金取引を受け付ける場合にも円滑に処理することができる。
【発明の効果】
【００２９】
本発明によると、最新の取引に係る紙葉類を、その最新の取引以前に一時保留部に収納された紙葉類と属性を区別して一時保留部に収納するから、取引が連続したとき、取引の間隔を短くすることができる。
【発明を実施するための最良の形態】
【００３０】
以下本発明の実施形態を図に基づき説明する。本実施形態では紙葉類処理装置が紙幣入出金装置として体現されている。図１は紙幣入出金装置の概略構成図、図２は収納部の収納メカニズム説明図、図３は制御システムのブロック図である。
【００３１】
紙幣入出金装置１は上部ユニット２と下部ユニット３を備える。上部ユニット２の内部には、一端に繰出部１１、他端に払出部１２を備えた上部搬送路１０が形成されている。繰出部１１から払出部１２までの間には、識別部１３、記番号読取部１４、及び一時保留部として機能する収納部（以下単に「一時保留部」と呼称する）１５が配置されている。
【００３２】
下部ユニット３の内部には、上部搬送路１０に接続される下部搬送路２０、２１が形成される。下部搬送路２０には複数の収納部２２ａ〜２２ｄと、それと対称的に配置された複数の収納部２３ａ〜２３ｄが組み合わせられる。これらの収納部２２ａ〜２３ｄは、紙幣の属性の一である金種に基づいて、各金種別に紙幣を収納する金種別収納部（属性別収納部）である。下部搬送路２１には紙幣を取り込む回収部２４とキャプチャービン２５が組み合わせられる。
【００３３】
一時保留部１５も含めた収納部の収納メカニズムを図２に基づき説明する。収納メカニズム１００は２本のテープ１０１、１０２を備え、テープ１０１、１０２の間に紙幣１０３を挟み、回転ドラム１０４がテープ１０１、１０２を巻き取ることにより、紙幣１０３も回転ドラム１０４に巻き付けられて保持される仕組みになっている。１０５、１０６はテープ１０１、１０２の案内ローラである。テープ１０１、１０２の幅は紙幣１０３の幅よりも小さい。
【００３４】
２本のテープで紙幣を挟むのでなく、１本のテープと回転ドラムの間に紙幣を挟む形式のテープ式収納部も実用化されている。この形のテープ式収納部も本発明に使用可能である。
【００３５】
続いて紙幣入出金装置１の制御システムを図３に基づき説明する。制御システムの中枢として、上部ユニット２を制御する上部ユニット制御部３０と、下部ユニット３を制御する下部ユニット制御部４０が存在する。上部ユニット制御部３０と下部ユニット制御部４０は相互に通信接続される。なお以下の説明では、上部ユニット制御部３０と下部ユニット制御部４０を統合した概念として「制御部」の呼称を用いることがある。
【００３６】
上部ユニット制御部３０は、繰出部１１と払出部１２を含む上部搬送路１０、識別部１３、記番号読取部１４、及び一時保留部１５の動作を司るものであり、記憶部３１、表示部３２、操作部３３、及び外部通信部３４を備える。記憶部３１は、一時保留部１５に収納された紙幣に関する情報や紙幣入出金装置１に収納された紙幣の金種別枚数である在高を記憶する。また記憶部３１は、各収納部２２ａ〜２３ｄ毎に収納する金種と、収納紙幣枚数の下限値や上限値を記憶している。表示部３２は例えば液晶パネルにより構成され、紙幣入出金装置１の利用者に対し各種情報を伝える。操作部３３はキーボードやタッチパネルにより構成され、利用者がそれを通じて各種入力を行う。
【００３７】
外部通信部３４は紙幣入出金装置１の外部に設置されたターミナル３５に通信接続される。ターミナル３５は複数の紙幣入出金装置１を相互に通信接続する役割を担う。
【００３８】
下部ユニット制御部４０は、下部搬送路２０、２１、収納部２２ａ〜２２ｄ、２３ａ〜２３ｄ、及び回収部２４の動作を司るものであり、収納枚数をはじめ、各収納部に収納された紙幣に関する情報が記憶される記憶部４１を備える。
【００３９】
制御部は紙幣入出金装置１を次のように動作させる。上部搬送路１０の繰出部１１に入金紙幣が投入され、操作部３３やターミナル３５などの取引入力手段から入金取引や補充取引の命令を受けると、繰出部１１は入金紙幣を１枚ずつ上部搬送路１０に繰り出す。識別部１３は、通過する入金紙幣からサイズ、磁気パターン、光学パターンなどといった識別情報を読み取り、それに基づいて入金紙幣の金種、真偽、正模などの属性を識別する。真券と判定された入金紙幣は記番号読取部１４に送られ、偽券と判定された入金紙幣は下部搬送路２１を経由してキャプチャービン２５に送られる。識別部１３が識別できなかった入金紙幣はリジェクト紙幣として払出部１２に送られ、利用者に返戻される。
【００４０】
記番号読取部１４は、そこを通過する入金紙幣から記番号を読み取る。記番号読取部１４を通過して一時保留部１５に収納される入金紙幣には、制御部が紙幣の収納に関する状態を表す「一時保留」の収納状態を付与する。なお本明細書において、「一時保留」とは、投入された入金紙幣を、入金取引が成立して「仮収納」または「収納」の状態になるまで利用者に返戻することなく紙幣入出金装置１に留め置く処理のことをいう。「収納」とは、入金紙幣を紙幣入出金装置１の管理下に置き、且つ所定の収納部に収納する処理が行われた状態のことをいう。「仮収納」とは、「収納」の段階における一局面であって、入金紙幣を紙幣入出金装置１の管理下に置くものの、然るべき収納部への収納は未だ実行しないという段階の処理が行われた状態のことをいう。これら「収納」「仮収納」も、紙幣の収納状態である。
【００４１】
一時保留部１５は、入金紙幣を順に受け入れて一時保留する。一時保留部１５に保留された入金紙幣には「一時保留」の収納状態が付与される。その後、この入金紙幣は収納部２２ａ〜２２ｄ及び収納部２３ａ〜２３ｄの収納スペースと、一時保留部１５自体の収納スペースを用いて収納されるが、これについては後で詳細に説明する。
【００４２】
一時保留部１５に保留された入金紙幣は、一時保留部１５と収納部２２ａ〜２２ｄ及び収納部２３ａ〜２３ｄに収納余力がなければ、下部搬送路２１を経由して回収部２４に送られ、回収部２４で保持される。回収部２４は収納部２２ａ〜２２ｄと２３ａ〜２３ｄを空にするときにも使用される。
【００４３】
出金取引の命令を受けた時は、収納部２２ａ〜２２ｄ及び２３ａ〜２３ｄから、場合によっては一時保留部１５から、必要な金種と数量の紙幣が繰り出される。繰り出された紙幣は下部搬送路２０と上部搬送路１０を経由して払出部１２に搬送され、利用者に引き渡される。在高からは、繰り出された紙幣の金種毎の枚数が減算される。
【００４４】
続いて、入金紙幣の一時保留から収納までの動作パターンを図４〜図１１に基づき説明する。図４〜図１１は回転ドラム１０４に巻き取られた紙幣を示す模式図で、理解を容易にするため、回転ドラムからテープを引き出した状態で図示している。巻き取られた紙幣は、各図右下に付属させた表のように、収納された順と金種と収納状態が記憶部３１に記録される。
【００４５】
図４は、「一時保留」の収納状態を付与された１回目の入金紙幣、すなわち金種「Ａ」「Ｃ」「Ｂ」の３枚の入金紙幣が、この順序で一時保留部１５に取り込まれた状況を示している。
【００４６】
図５は、入金が確定し、１回目の入金紙幣の収納状態が「一時保留」から「仮収納」に変更された状況を示している。一時保留部１５のテープ（図２におけるテープ１０１、１０２）は動かない。しかしながら、在高には入金紙幣の金種別枚数が加算される。
【００４７】
このように、一時保留していた入金紙幣を、所定条件の成立（この場合は入金取引の確定）に基づき仮収納紙幣に収納状態を変更してそのまま一時保留部１５で継続保持するので、金種別収納部への収納処理時間が短縮され、次の取引に素早く移行することができる。
【００４８】
図６は、「一時保留」の収納状態を付与された２回目の入金紙幣、すなわち金種「Ｄ」「Ｅ」の２枚の入金紙幣が、この順序で一時保留部１５に取り込まれた状況を示している。単一の一時保留部１５に、仮収納紙幣と一時保留紙幣が区別して保持されることになる。
【００４９】
図７は、入金が確定し、２回目の入金紙幣の収納状態が「一時保留」から「仮収納」に変更された状況を示している。一時保留部１５のテープは動かない。在高には入金紙幣の金種別枚数が加算される。
【００５０】
図８は、「一時保留」の収納状態を付与された３回目の入金紙幣、すなわち金種「Ａ」「Ｂ」「Ｃ」「Ｄ」の４枚の入金紙幣が、この順序で一時保留部１５に取り込まれた状況を示している。図８の状態のとき、この取引がキャンセルされると、一時保留部１５のテープが巻き戻されて「一時保留」収納状態の４枚の紙幣は払出部１２へ搬送される（図７の状態となる）。
【００５１】
図９は、入金が確定し、３回目の入金紙幣の収納状態が「一時保留」から「仮収納」に変更された状況を示している。一時保留部１５のテープは動かない。在高には入金紙幣の金種別枚数が加算される。
【００５２】
図１０は、１回目から３回目までの入金取引で一時保留部１５に仮収納されていた紙幣を、当該紙幣が受け入れ条件を満たす収納部、すなわちＡ金種収納部からＥ金種収納部までの金種別収納部の中で金種が適合する収納部に送出する途中の状況を示している。金種別収納部には、収納部２２ａ〜２２ｄ及び収納部２３ａ〜２３ｄの１個または複数個が割り当てられる。図１０においては、引き続き一時保留部１５の仮収納紙幣を全て送出してもよく、あるいは全て送出するのでなく、奥の方の仮収納紙幣「Ａ」「Ｃ」「Ｂ」「Ｄ」は引き続き一時保留部１５に残すこととしてもよい。
【００５３】
一時保留部１５から各金種別収納部への仮収納紙幣の送出は、以下のような設定条件で実行される。
【００５４】
第１の設定条件では、入金取引や出金取引などの取引のうち最後のものが確定してから一定時間新たな取引がなかったら送出が開始される。送出動作の途中で新たな取引開始の指示があれば、その時点で送出を終了する。
【００５５】
第２の設定条件では、取引確定後、一定時間の送出、または一定枚数の紙幣の送出、または一定のテープ長さ分の送出を行う。
【００５６】
第３の設定条件では、仮収納紙幣の枚数または仮収納に用いたテープの長さが一定値を超えたら送出を行う。
【００５７】
第４の設定条件では、各金種別収納部の中で、収納紙幣の枚数が所定の下限値を下回った収納部があったとき、送出を行う。送出の結果、この金種別収納部の収納紙幣枚数が所定の上限値に達したら、その時点で送出を終了する。この際、途中で他の金種別収納部の収納紙幣枚数が所定の上限値に達したら、この金種の紙幣は以後回収部２４へ搬送するようにしてもよく、もしくは、その時点で送出を終了してもよい。または、仮収納紙幣をすべて送出してもよい。送出動作の途中で新たな取引開始の指示があったときは、その時点で送出を終了する。
【００５８】
また、出金処理時に一時保留部１５から仮収納紙幣の送出をすることもできる。一時保留部内に出金対象金種の紙幣が収納されているとき、この金種の紙幣を払出部１２へ送出する。このとき、他の金種紙幣は各収納部２２ａ〜２３ｄもしくは回収部２４へ搬送される。
【００５９】
上記のように、特定の収納部を指定して一時保留部１５とすることにより、収納部の役割が整理され、紙幣の出し入れをスムーズに行うことができる。また、一時保留部１５で「仮収納」に収納状態が切り替えられた紙幣は、当該紙幣が受け入れ条件を満たす、すなわち金種が適合する他の収納部に移し替えられることとすることにより、一時保留部１５にある程度の一時保留スペースを確保しておくことが可能になる。また紙幣補充時などに、収納部２２ａ〜２３ｄの収容量を超えて紙幣が入金されたとき、超えた分を回収部２４ではなく一時保留部１５へ収納するように設定することもできる。収納された紙幣は上述のように各収納部に収納されて行くため、単一の金種にとどまらず、複数の金種であっても、柔軟に収容量を増やすことができる。
【００６０】
制御部が「一時保留」の収納状態で紙幣を保持させる収納部は、その時点で一時保留部に指定された収納部であることとしてもよい。すなわち一時保留部１５及び収納部２２ａ〜２２ｄ、２３ａ〜２３ｄを平等に扱い、その時点で一時保留部として相応しい収納部を一時保留部に指定するのである。このように、一時保留部としての役割を特定の収納部に固定しないこととすれば、一時保留部に指定されていた収納部の一時保留スペースが少なくなったとき、大量の入金があってもゆとりのある他の収納部に一時保留部の役割を振り替えることができ、結果として一時保留の収容容量自体を大きくすることができ、一時保留の処理を停滞させずに済む。なお、一時保留部１５に収納された仮収納紙幣は、収納順と金種が管理されているため、再度識別することなく各金種別収納部に収納できるので、金種別収納部への収納処理を素早く行える。
【００６１】
図１１、１２は、上記と異なる仕組みで入金紙幣の一時保留から収納までを行う動作パターンを示す。
【００６２】
図１１、１２では、一時保留部に指定された収納部が存在しない。全ての収納部が、いずれかの金種の収納部に割り当てられる。
【００６３】
識別部１３を通過した入金紙幣は、当該入金紙幣が受け入れ条件を満たす収納部、すなわちＡ金種収納部からＥ金種収納部までの金種別収納部の中で金種が適合する収納部に振り分けられて送り込まれ、「一時保留」の収納状態で保持される。図１２の右下には、各金種別収納部の中で一例としてＥ金種収納部を取り上げ、そこにおける保持金種の一覧を表形式で示してある。このようにして、各収納部毎に収納された順と金種と収納状態と収納枚数が記憶部４１に記憶される。
【００６４】
図１２は、入金が確定し、各金種別収納部の一時保留紙幣の収納状態が「収納」に変更された状況を示している。各金種別収納部のテープは動かない。在高や、収納部毎の収納枚数に、入金紙幣の金種別枚数が加算される。
【００６５】
図１１、１２の構成によると、入金紙幣は受け入れ条件を満たす、すなわち金種の適合する金種別収納部に一時保留され、所定条件の成立（この場合は入金取引の確定）に基づき「収納」に紙幣の収納状態を変更してそのまま当該金種別収納部で継続保持し、キャンセルのときは「一時保留」の収納状態で収納された紙幣を払出部１２へ送って返却するので、一時保留のための専用スペースを特に必要としない。また金種別収納部の空きスペースを有効に活用して一時保留部を設定することができる。一時保留の収容容量自体も大きくなる。さらに、一時保留した紙幣を移し替えることなく収納して行くから、収納処理時間が短縮され、次の取引に素早く移行することができる。
【００６６】
以上の実施形態では、一時保留部１５に収納される各紙幣に収納状態を付与することにより、今回の取引で収納された紙幣とそれ以前に収納された紙幣を区別したが、仮収納紙幣と一時保留紙幣との境界の位置を記憶部４１に記憶してもよい。
【００６７】
例えば、図１３に示すように、収納開始時から終了時までに仮収納紙幣と一時保留紙幣との境界が移動した距離、すなわち回転ドラム１０４が巻き取ったテープ１０１、１０２の長さに関する量を記憶する。
【００６８】
この量は、巻き取った実際のテープの長さを計測してもよく、テープの巻取り巻戻しに関係して回転する軸やモータなどに取り付けられたロータリーエンコーダなどの回転量を検知するセンサの出力量（パルス数など）でもよく、テープに付された目印をフォトインタラプタなどのセンサで計数したものでもよい。
【００６９】
また、別の方法としては、テープの巻取り巻戻しに関係して回転する軸やモータなどに取り付けられたロータリーエンコーダなどの回転量を検知するセンサの出力量（パルス数など）を用いて、テープの位置を定義し、定義したテープ位置で仮収納紙幣と一時保留紙幣との境界を記憶する。例えば、巻取り量が０のときのテープ位置は０、フルに巻き取ったときのテープ位置は１００００とする。そして、収納開始時のテープ位置が５０００ならば、境界の位置をテープ位置で５０００と記憶し、収納終了時のテープの位置が８０００ならば、これを記憶する。
【００７０】
以上のような方法で境界の位置を記憶し、一時保留紙幣を送出するときは、巻き取ったテープを境界の位置が収納前の状態になるまで巻き戻して、紙幣を繰り出す。一時保留紙幣を仮収納するときは、境界の位置を収納終了時のテープ位置である８０００に変更する。
【００７１】
さらに別の方法としては、一時保留紙幣の枚数を記憶してもよい。この方法は収納部がテープを用いるものでなくともよい。一時保留紙幣を送出するときは、記憶した一時保留紙幣の枚数の紙幣を、収納部から繰り出す。一時保留紙幣を仮収納するときは、この枚数を０枚に変更する。
【００７２】
また上記実施形態では、複数の取引に使用する紙幣を一括して収納するにあたり、「仮収納」という収納状態を用いているが、「収納」と「仮収納」を区別することは必須ではない。一時保留部１５など一時保留部に収納された紙幣は、設定条件を満たしたときに金種別収納部に送出すると定めておけば、収納された紙幣の順番と金種だけを記憶して管理してもよい。
【００７３】
一方、「仮収納」「一時保留」の収納状態を細分化して「補充取引」「取引１」「取引２」のような収納状態を設け、どの取引に関する紙幣であるかを識別できるようにしてもよい。このようにすることで、取引毎に異なる処理を行うことができる。例えば取引キャンセルなどで紙幣を返却するときは、最新の取引に関する紙幣を返却する。また、紙幣補充時に一時保留部に収納された紙幣を「補充取引」の収納状態とし、各金種別収納部へ送出する際の条件を入金取引で一時保留部に収納された紙幣と異ならせてもよい。例えば「取引１」「取引２」の紙幣は第１の設定条件、「補充取引」紙幣は第４の設定条件で、金種別収納部へ送出される。
【００７４】
また、一時保留部１５など一時保留部に収納された紙幣を、金種別収納部に送出することは必須ではない。次の取引に素早く移行するためには、紙幣を一時保留部に収納したまま、次の取引に移行するだけでよい。紙幣を金種別収納部に収納するのは、金種別収納部での収納量不足を防ぐためである。
【００７５】
なお、テープを用いて紙葉類を保持する収納部を用いた実施形態を説明したが、紙葉類の収納と繰出しができる収納部であればどのような形式のものでもよい。例えば、紙葉類を１枚ずつ収納および繰出しできれば、紙葉類を束状に集積する収納部でもよい。
【００７６】
また、上記実施形態では、一時保留を行う紙幣入出金装置の例を述べたが、本発明は一時保留を行わない紙幣入出金装置にも適用可能である。
【００７７】
この一時保留を行わない紙幣入出金装置では、例えば入金処理時に、処理の確定やキャンセルの入力は行われず、入金されたものは確定されたものとして扱われる。このため、入金された紙幣に「一時保留」の収納状態は無く、入金され一時保留部１５に搬送された紙幣の収納状態は「仮収納」になる。
【００７８】
また、紙葉類の一例として紙幣を用いた実施形態につき説明したが、本発明は小切手、手形などの有価証券やその他のシート類の処理を行う装置にも適用できる。
【００７９】
以上本発明の各実施形態につき説明したが、発明の主旨を逸脱しない範囲でさらに種々の変更を加えて実施することができる。
【産業上の利用可能性】
【００８０】
本発明は、紙幣入出金装置の紙葉類処理装置に広く利用可能である。
【図面の簡単な説明】
【００８１】
【図１】紙幣入出金装置の概略構成図
【図２】収納部の収納メカニズム説明図
【図３】制御システムのブロック図
【図４】入金紙幣の一時保留から収納までの動作パターンを示す第１の説明図
【図５】入金紙幣の一時保留から収納までの動作パターンを示す第２の説明図
【図６】入金紙幣の一時保留から収納までの動作パターンを示す第３の説明図
【図７】入金紙幣の一時保留から収納までの動作パターンを示す第４の説明図
【図８】入金紙幣の一時保留から収納までの動作パターンを示す第５の説明図
【図９】入金紙幣の一時保留から収納までの動作パターンを示す第６の説明図
【図１０】入金紙幣の一時保留から収納までの動作パターンを示す第７の説明図
【図１１】入金紙幣の一時保留から収納までの異なる動作パターンを示す第１の説明図
【図１２】入金紙幣の一時保留から収納までの異なる動作パターンを示す第２の説明図
【図１３】他の実施形態に係る入金紙幣の収納動作を示す説明図
【図１４】従来技術における入金紙幣の分類収納手法の説明図
【符号の説明】
【００８２】
１    紙幣入出金装置
２    上ユニット
３    下ユニット
１０  上部搬送路
１１  繰出部
１２  払出部
１３  識別部
１５  一時保留部
２２ａ−２２ｄ、２３ａ−２３ｄ  収納部
３０  上部ユニット制御部
３３  操作部
４０  下部ユニット制御部
４１  記憶部
１００  収納メカニズム
１０１、１０２  テープ
１０４  回転ドラム
【図１】
2010117916.tif 000003
【図２】
2010117916.tif 000004
【図３】
2010117916.tif 000005
【図４】
2010117916.tif 000006
【図５】
2010117916.tif 000007
【図６】
2010117916.tif 000008
【図７】
2010117916.tif 000009
【図８】
2010117916.tif 000010
【図９】
2010117916.tif 000011
【図１０】
2010117916.tif 000012
【図１１】
2010117916.tif 000013
【図１２】
2010117916.tif 000014
【図１３】
2010117916.tif 000015
【図１４】
2010117916.tif 000016